(57)【要約】【課題】磁気ヘッドの発生する磁界を記録信号に応じて高速変調動作を実現し、更に磁気ヘッドから発生する磁界によるノイズを軽減する磁気ヘッド駆動回路を提供する。【解決手段】光磁気ディスクに設けられたサーボエリアにて、磁気ヘッド１と並列に設けられたスイッチ８がＯＮ状態となると、スイッチ２Ａ及び２Ｂから磁気ヘッド１に流れていた電流は、その一部が負荷７及びスイッチ８に流れる。同様にして、補助電流供給手段３Ａ及び３Ｂから磁気ヘッド１に流れていた電流は、その一部が負荷７及びスイッチ８に流れる。このためサーボエリアにおいて、磁気ヘッド１に流れる電流は、定常状態より削減される。磁気ヘッド１の電流が小さくなると、磁気ヘッド１に流れる電流方向が切り替わる時、磁気ヘッド１端に発生する電圧は、記録動作時に比べて小さくなる。【選択図】図１
2005078773.tif 000002
【特許請求の範囲】
【請求項１】
光磁気ディスクに磁界変調記録を行うための磁界を発生する磁気ヘッドの駆動回路において、
該磁気ヘッドに流れる電流の方向を切り替え可能な電流切替手段と、該磁気ヘッドに一定方向から流れ込む第１の補助電流の印加手段と、該磁気ヘッドに他方から流れ込む第２の補助電流の印加手段と、該磁気ヘッドと並列に直列接続されたスイッチ手段及び負荷手段とを備え、
データ記録時に前記磁気ヘッドにより記録磁界を必要とする時は、前記スイッチ手段をオフ状態とし、前記磁気ヘッドにより記録磁界を必要としない時は、前記スイッチ手段をオン状態とすることを特徴とする磁気ヘッド駆動回路。
【請求項２】
光磁気ディスクに磁界変調記録を行うための磁界を発生する磁気ヘッドの駆動回路において、
該磁気ヘッドに流れる電流の方向を切り替え可能な電流切替手段と、該磁気ヘッドに一定方向から流れ込む第１の補助電流の印加手段と、該磁気ヘッドに他方から流れ込む第２の補助電流の印加手段と、該第１の補助電流の印加手段による電流を該磁気ヘッドとは異なる負荷に流すことが可能な第１のスイッチ手段と、該第２の補助電流の印加手段による電流を該磁気ヘッドとは異なる負荷に流すことが可能な第２のスイッチ手段とを備え、
前記磁気ヘッドにより記録磁界を必要としない時は、前記磁気ヘッドに流れる電流の方向を前記電流切替手段により一方向に固定すると共に、前記第１若しくは第２のスイッチ手段の一方をオン状態とすることを特徴とする磁気ヘッド駆動回路。
【請求項３】
光磁気ディスクに磁界変調記録を行うための磁界を発生する磁気ヘッドの駆動回路において、
該磁気ヘッドに流れる電流の方向を切り替え可能な電流切替手段と、該磁気ヘッドに一定方向から流れ込む第１の補助電流の印加手段と、該磁気ヘッドに他方から流れ込む第２の補助電流の印加手段と、該第１の補助電流の印加手段による電流を該磁気ヘッドとは異なる負荷に流すことが可能な第１のスイッチ手段と、該第２の補助電流の印加手段による電流を該磁気ヘッドとは異なる負荷に流すことが可能な第２のスイッチ手段とを備え、
前記磁気ヘッドにより記録磁界を必要としない時は、前記磁気ヘッドに流れる電流を前記電流切替手段により停止状態とすると共に、前記第１及び第２のスイッチ手段をオン状態とすることを特徴とする磁気ヘッド駆動回路。
【請求項４】
光磁気ディスクに磁界変調記録を行うための磁界を発生する磁気ヘッドの駆動回路において、
該磁気ヘッドに流れる電流の方向を切り替え可能な２対４個のスイッチ手段からなる電流切替手段と、該磁気ヘッドに一定方向から流れ込む第１の補助電流の印加手段と、該磁気ヘッドに他方から流れ込む第２の補助電流の印加手段とを備え、
前記磁気ヘッドにより記録磁界を必要としない時は、前記電流切替手段の電源供給側に設けられた１対２個のスイッチ手段をオフ状態とし、前記電流切替手段の接地側に設けられた１対２個のスイッチ手段をオン状態とすることを特徴とする磁気ヘッド駆動回路。
【発明の詳細な説明】
【技術分野】
【０００１】
本発明は、磁気ヘッドと光ビームを用いて磁界変調記録を行う光磁気ディスク装置に適用して好適な磁気ヘッド駆動回路に関する。
【背景技術】
【０００２】
近年、情報の高密度記録媒体として光磁気ディスクが広く知られている。光磁気ディスクは、情報の記録及び再生が行われる記録再生トラックを複数の磁性膜で構成し、また記録再生トラックを同心円若しくは螺旋状に設けるものである。
【０００３】
図７に示す光磁気ディスクの概略図を用いて、光磁気ディスクの再生方法を述べる。光磁気ディスク１００は、ディスク回転駆動機構（図示省略）に取り付けられ、所定の回転数で回転するものである。半導体レーザ１０１は、光磁気ディスク１００上に所定出力の光を照射するものである。
【０００４】
半導体レーザ１０１から出射された光は、ピックアップ１０２に設けられた対物レンズ１０３で集光されると共に、ピックアップ１０２に設けられたフォーカスアクチュエータ及びトラッキングアクチュエータ（図示省略）によって、光磁気ディスク１００の任意の位置に集光される。
【０００５】
光磁気ディスク１００に集光された光は、光磁気ディスク１００の磁化方向による磁気光学効果によって偏向反射される。光磁気ディスク１００で偏向反射された光は、ピックアップ１０２、ＰＢＳ(Polarizing Beam Splitter)１０４を通って光電変換素子１０５Ａ及び１０５Ｂに導かれ、偏向方向に応じた再生信号に変換され、差動増幅器１０６から、光磁気ディスク１００に記録されている情報に応じた再生信号１０７を出力する。
【０００６】
次に、光磁気ディスクの記録方法を図７を用いて述べる。光磁気ディスク１００に記録を行う時は、再生の時と比べ相対的に大きな出力の光が、半導体レーザ１０１から出射されて、光磁気ディスク１００上に集光される。
【０００７】
大きな出力光が、光磁気ディスク１００上に集光されると、局所的な加熱作用が働く。光で加熱された光磁気ディスク１００は、その温度がキュリー温度を超えると急激に保持力が低下し、記録されていた磁化特性（方向）を消失する。この時、保持力の低下した光磁気ディスク１００に、磁気ヘッド１０８を用いて記録情報に応じた磁界を印加すると、印加磁界と同じ向きに光磁気ディスク１００の磁化方向を切り替えることができる。つまり、光磁気ディスク１００上に新しく情報の記録ができる。
【０００８】
図８に、磁気ヘッド１０８を記録信号に応じて駆動する、磁気ヘッド駆動回路を示す。定電流源１１０は、磁気ヘッド１０８に流す電流を制御するものであり、光磁気ディスク１００や磁気ヘッド１０８の特性に応じた値に設定される。
【０００９】
ＳＷ１１１Ａ〜１１１ＤにはＦＥＴ等が用いられ、磁気ヘッド１０８を駆動するブリッジ回路を構成する。図中Ａ方向に電流を流すときは、ＳＷ１１１ＡとＳＷ１１１ＤがＯＮ状態となり、Ｂ方向に電流を流すときは、ＳＷ１１１ＢとＳＷ１１１ＣがＯＮ状態となる。磁気ヘッド１０８に流れる電流が、Ａ／Ｂ方向に切り替わることで、発生する磁界方向が切り替わり、光磁気ディスク１００に印加する磁界を切り替えるものである。
【００１０】
また、光磁気ディスクの再生時には、磁気ヘッド１０８による磁界が不要であるため、ＳＷ１１１Ａ〜１１１Ｄは全てＯＦＦされる。
【００１１】
図９に、磁気ヘッド１０８を駆動する他の磁気ヘッド駆動回路を示す。コイル１２０Ａは、ＳＷ１１１Ａ／ＳＷ１１１Ｃ／磁気ヘッド１０８の中点につながれており、コイル１２０Ｂは、ＳＷ１１１Ｂ／ＳＷ１１１Ｄ／磁気ヘッド１０８の中点につながれる。
【００１２】
図中Ａ方向に電流を流すときは、ＳＷ１１１ＡとＳＷ１１１ＤがＯＮ状態となる。この時、コイル１２０Ａからも磁気ヘッド１０８並びにＳＷ１１１Ｄに電流が流れ、ＳＷ１１１Ａ〜ＳＷ１１１Ｄで構成されるブリッジ回路による電流変化を補うものである。
【００１３】
また、図中Ｂ方向に電流を流すときは、ＳＷ１１１ＢとＳＷ１１１ＣがＯＮ状態となる。この時、コイル１２０Ｂからも磁気ヘッド１０８並びにＳＷ１１１Ｃに電流が流れ、ＳＷ１１１Ａ〜ＳＷ１１１Ｄで構成されるブリッジ回路による電流変化を補うものである。
【００１４】
このように動作する磁気ヘッド駆動回路は、図８を用いて説明を行った磁気ヘッド駆動回路よりも、磁気ヘッド１０８に流れる電流を高速に切り替えられることが知られている（例えば、特許文献１参照）。
【００１５】
また、光磁気ディスクの再生時には、磁気ヘッド１０８による磁界が不要であるため、ＳＷ１１１Ａ〜１１１Ｄは全てＯＦＦされる。
【００１６】
上記のように、光磁気ディスク１００に情報を記録するときには、磁気ヘッド１０８を記録情報に応じて駆動することにより、記録情報に応じた磁界を発生させるものである。
【特許文献１】特開平５−３４２５０８号公報
【特許文献２】特開２０００−３３１３８８号公報
【発明の開示】
【発明が解決しようとする課題】
【００１７】
しかしながら、記録動作時に磁気ヘッド１０８に流れる電流が１００〜２００ｍＡ程度と大きなものであり、電流を高速に切り替えることにより大きなノイズが発生する。
【００１８】
ノイズを軽減する方法として、磁気ヘッド１０８を駆動する磁気ヘッド駆動回路を、磁気ヘッド１０８の取り付けられるサスペンション上に配置することで、磁気ヘッド駆動回路と磁気ヘッド１０８の配線を短くし、駆動電流によるノイズの軽減をはかるものがある（例えば、特許文献２参照）。
【００１９】
しかしながら、磁気ヘッド１０８の取り付けられるサスペンション部分は、光磁気ディスク１００の記録位置に応じて移動するため、サスペンション部に磁気ヘッド駆動回路を設けることは、稼動部を重くすることになる。そのため、光磁気ディスク１００の記録位置を高速に移動するには不向きである。また、移動する部分に回路を設置するので、実際の回路体積に加えて移動する部分の空間が必要となり、装置の小型化が困難となる。
【００２０】
また、図１０に示すように、情報の記録再生が行われる光磁気ディスク１００として、サンプルサーボ方式を用いるものがある。同図において、１３０は情報の記録が行われるデータエリアであり、１３１は光を安定して光磁気ディスク１００上に集光させるためのサーボエリアである。
【００２１】
サーボエリアには図１１に示すように、データの記録トラック１３２に対して左右に所定量ずれて配置される一対のウォブルピット１３３Ａおよび１３３Ｂと、サンプリング基準となるクロックピット１３４ならびにアドレスマーク１３５が設けられている。
【００２２】
サンプルサーボ方式の動作を簡潔に説明する。クロックピット１３４は、光磁気ディスク１００上に等間隔にかつ隣接するトラックと同じ位置に設けられている。このため、光磁気ディスク１００上に光がフォーカス制御されると、所定間隔で、クロックピット１３４が検出可能となる。クロックピット１３４の検出により、サーボエリア１３１のサンプリングタイミングが決定される。
【００２３】
サンプリングタイミングが決まると、サーボエリア１３１に設けられている、ウォブルピット１３３Ａ及び１３３Ｂとアドレスマーク１３５がサンプリングされる。この時、光磁気ディスク１００上の光はトラッキング制御がされていないため、トラックに対して変動する。
【００２４】
この状態で、図１１のＡに示す位置を光が移動する時、ウォブルピット１３３Ａ及び１３３Ｂをサンプリングすると、ウォブルピット１３３Ａからの再生信号が、ウォブルピット１３３Ｂからの再生信号よりも大きく検出されるため、光磁気ディスク１００のトラック中心からずれていることが検出される。同様にして、Ｃに示す位置を光が移動する時、ウォブルピット１３３Ａからの再生信号がウォブルピット１３３Ｂからの再生信号よりも小さく検出されるため、光磁気ディスク１００のトラック中心からずれていることが検出される。
【００２５】
光磁気ディスク１００上に集光される光を、トラック中心に位置させるためのトラッキング制御は、ウォブルピット１３３Ａ及び１３３Ｂからの再生信号レベルが等しくなるように、トラキングアクチュエータ（図示省略）を駆動することにより行われる。
【００２６】
上記サンプルサーボ方式を用いる光磁気ディスク１００では、光磁気ディスク１００に情報を記録している間も、サーボエリア１３１を正しく再生する事が必要とされる。
【００２７】
前述のように、光磁気ディスク１００に情報を記録するときには、磁気ヘッド１０８を記録情報に応じて駆動することにより、記録情報に応じた磁界を発生させるものである。
【００２８】
しかしながら、記録動作時に磁気ヘッド１０８に流れる電流が１００〜２００ｍＡ程度と大きなものであり、電流を高速に切り替えることにより大きなノイズが発生する。このため、サーボエリア１３１に設けられたウォブルピット１３３Ａ及び１３３Ｂやクロックピット１３４等の再生信号に、磁気ヘッド１０８が発生する磁界等によるノイズが混入し、安定して正確な再生が困難となる。サーボエリア１３１の再生が正しく行われないと、光磁気ディスク１００上に、正しく光を制御できなくなる問題がある。
【００２９】
また、サーボエリア１３１を再生する時に、磁気ヘッド１０８に流れる電流を図９に示すＡ方向に固定するように駆動することで、磁気ヘッド１０８が発生する磁界等によるノイズの混入を防止する事が可能である。
【００３０】
しかしながら、磁気ヘッドに流れる電流を固定すると、磁気ヘッドの挿入インピーダンスの影響により、一対の補助電流供給手段を構成するコイル１２０Ａに流れる電流は、コイル１２０Ｂに流れる電流よりも相対的に小さくなる。このため、サーボエリア１３１からデータエリアに切り替わった瞬間、コイル１２０Ａの供給電流がコイル１２０Ｂの供給電流よりも小さくなるために、磁気ヘッド１０８の発生磁界にＤＣ変動が発生し、十分な記録磁界を印加できない問題がある。
【００３１】
そこで本発明は、光磁気ディスクに磁界変調記録を行うための磁界を発生する磁気ヘッドの駆動回路において、磁気ヘッドの発生する磁界を記録信号に応じて高速変調動作を実現し、更に磁気ヘッドから発生する磁界によるノイズを軽減する磁気ヘッド駆動回路を提供することを目的とする。
【課題を解決するための手段】
【００３２】
上述の課題を解決するため、本発明は、光磁気ディスクに磁界変調記録を行うための磁界を発生する磁気ヘッドの駆動回路において、該磁気ヘッドに流れる電流の方向を切り替え可能な電流切替手段と、該磁気ヘッドに一定方向から流れ込む第１の補助電流の印加手段と、該磁気ヘッドに他方から流れ込む第２の補助電流の印加手段と、該磁気ヘッドと並列に直列接続されたスイッチ手段及び負荷手段とを備え、データ記録時に前記磁気ヘッドにより記録磁界を必要とする時は、前記スイッチ手段をオフ状態とし、前記磁気ヘッドにより記録磁界を必要としない時は、前記スイッチ手段をオン状態とすることを特徴とする。
【００３３】
また、光磁気ディスクに磁界変調記録を行うための磁界を発生する磁気ヘッドの駆動回路において、該磁気ヘッドに流れる電流の方向を切り替え可能な電流切替手段と、該磁気ヘッドに一定方向から流れ込む第１の補助電流の印加手段と、該磁気ヘッドに他方から流れ込む第２の補助電流の印加手段と、該第１の補助電流の印加手段による電流を該磁気ヘッドとは異なる負荷に流すことが可能な第１のスイッチ手段と、該第２の補助電流の印加手段による電流を該磁気ヘッドとは異なる負荷に流すことが可能な第２のスイッチ手段とを備え、前記磁気ヘッドにより記録磁界を必要としない時は、前記磁気ヘッドに流れる電流の方向を前記電流切替手段により一方向に固定する又は停止状態とすると共に、前記第１若しくは第２のスイッチ手段の一方をオン状態とする。
【００３４】
以上の構成によって、磁気ヘッドの発生する磁界を記録信号に応じて高速変調動作を実現し、更に磁気ヘッドから発生する磁界によるノイズを軽減する。
【発明の効果】
【００３５】
本発明は、光磁気ディスクに磁気ヘッドを用いる記録動作において、サーボエリアを再生するときに、磁気ヘッドに流れる電流を、磁気ヘッドと並列に設けられたスイッチ及び負荷に流すことにより、磁気ヘッドに流れる電流を削減するものである。これにより、サーボエリアを再生するときに、磁気ヘッドにより発生する磁界およびノイズを低減し、サーボエリアに設けられている、ウォブルピットやクロックピット、アドレスピットを誤り無く安定して再生可能とするものである。
【００３６】
また、補助電流供給手段に供給される電流を、データエリアとサーボエリアで一定に保つことにより、補助電流供給手段に蓄積されるエネルギーを一定に保つことを可能とし、サーボエリアからデータエリアに切り替わった瞬間においても、補助電流供給手段の機能を損なう事なく、磁気ヘッドに流れる電流を安定して高速な切り替えを可能とするものである。
【００３７】
また、サーボエリアにおいても、一対の補助電流供給手段に等しい電流を供給可能とすることにより、磁気ヘッドの発生する磁界のＤＣ変動を防止することを可能とするものである。
【００３８】
更に、光磁気ディスクに磁気ヘッドを用いる記録動作において、サーボエリアを再生するときに、磁気ヘッドに流れる電流を遮断することにより、サーボエリアを再生するときに、磁気ヘッドにより発生するノイズを低減し、サーボエリアに設けられている、ウォブルピットやクロックピット、アドレスピットを誤り無く安定して再生可能とするものである。
【００３９】
また、サーボエリアにおいても、一対の補助電流供給手段に記録動作時と等しい電流を供給可能とすることにより、再度記録開始時に磁気ヘッドに流れる電流を安定して高速な切り替えを可能とするものである。
【００４０】
以上、磁気ヘッドの発生するノイズを軽減することにより、光磁気ディスクに記録されている情報を、安定して正確に再生可能とするものである。
【発明を実施するための最良の形態】
【００４１】
次に、本発明の実施の形態について図面を参照して説明する。
【実施例１】
【００４２】
以下、本発明の磁気ヘッド駆動回路の実施例を図１にブロック図を示し、図２にタイミングチャートを示して説明する。
【００４３】
図１において、１は光磁気ディスクに記録情報に応じた外部磁界を印加するための磁気ヘッドである。
【００４４】
２Ａ〜２Ｄは、磁気ヘッド１に流れる電流方向を切り替えるためのスイッチである。２対のスイッチ２Ａ〜２Ｄでブリッジ回路を構成し、スイッチ２Ａ〜２Ｄには夫々トランジスタやＦＥＴ等の半導体が適用される。
【００４５】
３Ａ及び３Ｂは、磁気ヘッド１に一定方向から電流供給をする補助電流供給手段である。本実施例においては、磁気ヘッド１のインダクタンスよりも十分に大きなインダクタンスを有するコイルで構成される。
【００４６】
４Ａ〜４Ｄは、２対のスイッチ２Ａ〜２Ｄを光磁気ディスクに記録する信号を用いてＯＮ／ＯＦＦする制御信号である。制御信号４Ａ／４ＤがＯＮ、制御信号４Ｂ／４ＣがＯＦＦすることにより、磁気ヘッド１には図中Ａで示す方向の電流が流れる。
【００４７】
また、制御信号４Ａ／４ＤがＯＦＦ、制御信号４Ｂ／４ＣがＯＮすることにより、磁気ヘッド１には図中Ｂで示す方向の電流が流れる。磁気ヘッド１に流れる電流方向を切り替えることにより、磁気ヘッド１は所定方向の磁界を、光磁気ディスクに印加する。
【００４８】
５Ａ／５Ｂは、補助電流供給手段３Ａ／３Ｂから、磁気ヘッド１に供給する電流値を決定する電流制限抵抗である。電流制限抵抗５Ａ／５Ｂの代替え手段として、補助電流供給手段３Ａ／３Ｂの接続される電源電圧ＶＤＤを予め調整することにより、補助電流供給手段３Ａ／３Ｂの電流を決定しておくことでもよい。また別の手段として、補助電流供給手段を定電流源に接続し、定電流源の電流値を予め調整しておくものでも良い。
【００４９】
６Ａ／６Ｂは、２対のスイッチ２Ａ〜２Ｄで構成されるブリッジ回路により、磁気ヘッド１に供給する電流値を決定する電流制限抵抗である。電流制限抵抗６Ａ／６Ｂの代替え手段として、ブリッジ回路２Ａ〜２Ｄの接続される電源電圧ＶＣＣを予め調整しておくことにより、ブリッジ回路２Ａ〜２Ｄの電流を決定しておくことでもよい。また別の手段として、ブリッジ回路２Ａ〜２Ｄを定電流源に接続し、定電流源の電流値を予め調整しておくものでも良い。
【００５０】
７は、磁気ヘッド１に対して並列に設けられる負荷であり、例えば抵抗器等で構成される。８は同じく磁気ヘッド１に対して並列にかつ、負荷７と直列に設けられるスイッチであり、スイッチ２Ａ及び２Ｂから磁気ヘッド１に流れる電流と、補助電流供給手段３Ａ／３Ｂから磁気ヘッド１に流れる電流を、選択的に負荷７に流すことが可能なものである。
【００５１】
以下、本発明の動作について詳細に説明する。
【００５２】
ＣＰＵ（図示省略）等により、光磁気ディスクへの記録動作が開始されると、２対のスイッチ２Ａ〜２Ｄが、制御信号４Ａ〜４ＤによりＯＮ／ＯＦＦ制御される。
【００５３】
一例として、４Ａ／４ＤがＯＮ、４Ｂ／４ＣがＯＦＦになっているとすると、これら制御信号に対応するスイッチ２Ａ／２ＤがＯＮ、２Ｂ／２ＣがＯＦＦとなる。この時、ブリッジ回路の接続される電源電圧ＶＣＣから、電流制限抵抗６Ａ、スイッチ２Ａ、磁気ヘッド１、スイッチ２Ｄの順に、図中Ａの方向に磁気ヘッド電流が流れる。
【００５４】
また、電源電圧ＶＤＤ、電流制限抵抗５Ａ並びに補助電流供給手段３Ａからも、図中Ａの方向に磁気ヘッド電流として供給される。この時、電源電圧ＶＤＤ、電流制限抵抗５Ｂ並びに補助電流供給手段３Ｂを流れる電流は、磁気ヘッド１に流れ込むことなく、スイッチ２Ｄへと流れ込む。
【００５５】
次に、４Ａ／４ＤがＯＦＦ、４Ｂ／４ＣがＯＮに切り替わると、これら制御信号に対応するスイッチ２Ａ／２ＤがＯＦＦ、２Ｂ／２ＣがＯＮとなる。このスイッチ切り替え時、磁気ヘッド１はインダクタンスであるため、それまでに流れていた電流方向、この場合は図中Ａの方向に電流を流し続けようと動作する。
【００５６】
また同時に、磁気ヘッド１の一端に設けられた補助電流供給手段３Ｂもインダクタンスであるため、それまでに流れていた電流を流し続けようと動作するが、それまでＯＮしていたスイッチ２ＤがＯＦＦとなる為に、補助電流供給手段３Ｂ、スイッチ２Ｄ並びに磁気ヘッド１の接続点には、極めて大きな高電圧が発生する。
【００５７】
高電圧は、磁気ヘッド１並びに補助電流供給手段３Ｂの電流方向を反転する力として作用するが、磁気ヘッド１のインダクタンスが、補助電流供給手段３Ｂのインダクタンスに比べて十分に小さいため、実際の動作としては、磁気ヘッド１の電流方向が、図中Ａの方向からＢの方向に反転するだけである。
【００５８】
磁気ヘッド１の電流が反転されると、ブリッジ回路の接続される電源電圧ＶＣＣから、電流制限抵抗６Ｂ、スイッチ２Ｂ、磁気ヘッド１、スイッチ２Ｃの順に、図中Ｂの方向に磁気ヘッド電流が続けて流れる。
【００５９】
また、電源電圧ＶＤＤ、電流制限抵抗５Ｂ並びに補助電流供給手段３Ｂからも、図中Ｂの方向に磁気ヘッド電流として引き続き供給される。この時、電源電圧ＶＤＤ、電流制限抵抗５Ａ並びに補助電流供給手段３Ａを流れる電流は、磁気ヘッド１に流れ込むことなく、スイッチ２Ｃへと流れ込む。
【００６０】
このように、本実施例における磁気ヘッド駆動回路は、補助電流供給手段３Ａ／３Ｂに、磁気ヘッド１よりも十分に大きなインダクタンスを有するコイルを用いることで、磁気ヘッド１に流れる電流を高速に切り替えることを可能とし、光磁気ディスクに印加される磁界を切り替えるものである。
【００６１】
また、記録情報に応じた磁界を発生させると同時に、光磁気ディスクには半導体レーザ等からの光が集光されており、磁界の印加と半導体レーザによる共同作用により記録動作が実行される。
【００６２】
次に記録動作中に記録位置が光磁気ディスクに設けられたサーボエリアにさしかかると、制御信号４Ａから４Ｄは、擬似記録信号に切り替えられる。これと同時に、磁気ヘッド１と並列に設けられたスイッチ８がＯＮ状態とされる。
【００６３】
スイッチ８がＯＮ状態となると、スイッチ２Ａ及び２Ｂから磁気ヘッド１に流れていた電流は、その一部が負荷７及びスイッチ８に流れる。同様にして、補助電流供給手段３Ａ及び３Ｂから磁気ヘッド１に流れていた電流は、その一部が負荷７及びスイッチ８に流れる。
【００６４】
このためサーボエリアにおいて、磁気ヘッド１に流れる電流は、定常状態より削減される。磁気ヘッド１の電流が小さくなると、磁気ヘッド１に流れる電流方向が切り替わる時、磁気ヘッド１端に発生する電圧は、記録動作時に比べて小さくなり、磁気ヘッド１に流れる電流が小さくなる事との相乗効果により、磁気ヘッド１が発生する磁界並びにノイズを十分に抑圧することが可能となる。
【００６５】
磁気ヘッド１により発生する磁界並びにノイズが十分に抑圧された状態で、サーボエリアに記録されているウォブルピットやクロックピット、更にはアドレスマークを再生信号処理回路（図示省略）により誤り無く再生可能とするものである。
【００６６】
次に再度サーボエリアからデータエリアにさしかかると、スイッチ８がＯＦＦ状態となり、制御信号４Ａ〜４Ｄが再度記録信号で制御されて記録動作が続けられる。
【実施例２】
【００６７】
次に磁気ヘッド駆動回路の他の実施例を図３に基づいて説明する。図３において、図１と同じ番号のものは、同様の機能動作を行うものであり、あらためての説明は省略する。
【００６８】
９Ａは、補助電流供給手段３Ａからの電流を選択的に流すことが可能なスイッチ、若しくはスイッチと負荷であり、９Ｂは、補助電流供給手段３Ｂからの電流を選択的に流すことが可能なスイッチ、若しくはスイッチと負荷である。
【００６９】
本実施例の動作は、実施例１と略同一であるため詳細な説明は省略し、実施例１と異なる個所のみについて、図４にタイミングチャートを示して説明する。
【００７０】
記録動作中に、記録位置が光磁気ディスクに設けられたサーボエリアにさしかかると、制御信号４Ａから４Ｄは、磁気ヘッド１に流れる電流を一方向に固定する擬似記録信号に切り替えられる。例えば、制御信号４Ｂと４ＣがＯＮとされて、スイッチ２Ｂと２ＣがＯＮすることで、磁気ヘッド１に流れる電流はＢ方向に固定される。
【００７１】
同時に、補助電流供給手段３Ｂからの電流を選択的に流すことが可能なスイッチ９ＢがＯＮされて、補助電流供給手段３Ｂからの電流は、磁気ヘッド１に流れる分と、スイッチ９Ｂに流れる分に分岐される。
【００７２】
この時、補助電流供給手段３Ａからの電流を選択的に流すことが可能なスイッチ９ＡはＯＦＦであり、補助電流供給手段３Ａからの電流は、磁気ヘッド１に流れることなく、スイッチ２Ｃにのみ流れるものである。更に、補助電流供給手段３Ａに流れる電流と、補助電流供給手段３Ｂに流れる電流が等しくなるように、スイッチ９Ｂに流れる電流が、スイッチ９Ｂを構成する負荷で調整されている。
【００７３】
これとは逆に、磁気ヘッド１に流れる電流方向を図中Ａ方向に固定するものであってもよい。このため、サーボエリアにおいては、磁気ヘッド１に流れる電流が、一方向に固定される。
【００７４】
磁気ヘッド１に流れる電流が固定されると、磁気ヘッド１により発生するノイズが十分に抑圧された状態で、サーボエリアに記録されているウォブルピットやクロックピット、更にはアドレスマークを再生信号処理回路（図示省略）により誤り無く再生可能とするものである。
【００７５】
また同時に、一対の補助電流供給手段３Ａ及び３Ｂに流れる電流を同じに保つことを可能とするものである。これにより、再度記録開始と同時に、補助電流供給手段から磁気ヘッド１に供給される電流が、電流方向によらず一定であるために、安定した記録磁界を発生させることが可能である。
【００７６】
また、本実施例の別の動作として、図５にタイミングチャートを示して説明する。
【００７７】
記録動作中に、記録位置が光磁気ディスクに設けられたサーボエリアにさしかかると、制御信号４Ａから４Ｄは、磁気ヘッド１に流れる電流を遮断するために、全てＯＦＦ状態に切り替えられる。
【００７８】
同時に、補助電流供給手段３Ａからの電流を選択的に流すことが可能なスイッチ９Ａと、補助電流供給手段３Ｂからの電流を選択的に流すことが可能なスイッチ９ＢがＯＮされて、補助電流供給手段３Ａ及び３Ｂからの電流は、磁気ヘッド１に流れることなく、スイッチ９Ａ及び９Ｂに流れる。この時、補助電流供給手段３Ａ及び３Ｂに流れる電流は、記録動作時に磁気ヘッド１に流れる電流と等しくなるように、スイッチ９Ａ及び９Ｂを構成する負荷で調整されている。
【００７９】
更に、スイッチ９Ａ及び９Ｂを、ブリッジ回路を構成するスイッチ２Ｃ及び２Ｄで代用する事も可能であり、図６にタイミングチャートを示して説明する。
【００８０】
記録動作中に、記録位置が光磁気ディスクに設けられたサーボエリアにさしかかると、制御信号４Ａ及び４Ｂは、磁気ヘッド１に流れる電流を遮断するために、ＯＦＦ状態に切り替えられる。
【００８１】
同時に、補助電流供給手段３Ａからの電流を選択的に流すことが可能なスイッチ２Ｃと、補助電流供給手段３Ｂからの電流を選択的に流すことが可能なスイッチ２ＤをＯＮするために、制御信号４Ｃ及び４Ｄは、ＯＮ状態に切り替えられ、補助電流供給手段３Ａ及び３Ｂからの電流は、磁気ヘッド１に流れることなく、スイッチ２Ｃ及び２Ｄに流れる。この時、補助電流供給手段３Ａ及び３Ｂに流れる電流は、記録動作時に磁気ヘッド１に流れる電流と略等しくなる。
【００８２】
このように、サーボエリアにおいては、磁気ヘッド１に流れる電流が遮断されるため、ノイズが無い状態で、サーボエリアに記録されている、ウォブルピットやクロックピット、更にはアドレスマークを誤り無く再生可能とするものである。
【００８３】
また、一対の補助電流供給手段３Ａ及び３Ｂに流れる電流を、記録動作時と等しい状態に保つことを可能とするものである。これにより、再度記録開始と同時に、補助電流供給手段から磁気ヘッド１に供給される電流が、安定して供給されて安定した記録磁界を発生させることが可能である。
【図面の簡単な説明】
【００８４】
【図１】本発明の磁気ヘッド駆動回路の実施例１のブロック図である。
【図２】本発明の磁気ヘッド駆動回路の実施例１のタイミングチャートである。
【図３】本発明の磁気ヘッド駆動回路の実施例２のブロック図である。
【図４】本発明の磁気ヘッド駆動回路の実施例２のタイミングチャートである。
【図５】本発明の磁気ヘッド駆動回路の実施例２の他のタイミングチャートである。
【図６】本発明の磁気ヘッド駆動回路の実施例２の他のタイミングチャートである。
【図７】従来の光磁気ディスクの記録・再生方法を示す概略図である。
【図８】従来の磁気ヘッド駆動回路のブロック図である。
【図９】従来の他の磁気ヘッド駆動回路のブロック図である。
【図１０】サンプルサーボ方式の光磁気ディスクの説明図である。
【図１１】図１０の光磁気ディスクの各記録エリアの説明図である。
【符号の説明】
【００８５】
１  磁気ヘッド
２Ａ〜２Ｄ  スイッチ
３Ａ，３Ｂ  補助電流供給手段
４Ａ〜４Ｄ  制御信号
５Ａ，５Ｂ  電流制限抵抗
６Ａ，６Ｂ  電流制限抵抗
７  負荷
８  スイッチ
９  スイッチ（負荷）
【図１】
2005078773.tif 000003
【図２】
2005078773.tif 000004
【図３】
2005078773.tif 000005
【図４】
2005078773.tif 000006
【図５】
2005078773.tif 000007
【図６】
2005078773.tif 000008
【図７】
2005078773.tif 000009
【図８】
2005078773.tif 000010
【図９】
2005078773.tif 000011
【図１０】
2005078773.tif 000012
【図１１】
2005078773.tif 000013